(57)【特許請求の範囲】
【請求項１】
患者に実施される複数の診療行為を時間軸に沿って並べた診療スケジュール、及び、前記診療スケジュール内の診療行為のうち少なくとも１つの対象診療行為について現在時刻から前記対象診療行為の実施予定時刻までの時間を表示するスケジュール閲覧画面を作成する画面データ作成部と、
前記スケジュール閲覧画面を出力する出力制御部と、を備え、
前記画面データ作成部は、
前記診療スケジュールとして、前記対象診療行為が前記実施予定時刻までに実施された場合に必要となる診療行為を含む第１診療スケジュールと、前記対象診療行為が前記実施予定時刻までに実施できなかった場合に必要となる診療行為を含む第２診療スケジュールと、を前記スケジュール閲覧画面に比較可能に並べて表示することを特徴とする診療支援装置。
【請求項２】
前記画面データ作成部は、前記スケジュール閲覧画面に、前記第１診療スケジュールと前記第２診療スケジュールとの前記時間軸を、同方向に延びた線状に、かつ、時間に関して同縮尺に、表示することを特徴とする請求項１記載の診療支援装置。
【請求項３】
前記画面データ作成部は、
前記第１診療スケジュールと前記第２診療スケジュールとを含むスケジュール表示領域と、前記第１診療スケジュールと前記第２診療スケジュールとの前記対象診療行為について現在時刻から前記対象診療行為の実施予定時刻までの時間をそれぞれ表示するタイムリミット表示領域とを有する前記スケジュール閲覧画面を作成することを特徴とする請求項１または２記載の診療支援装置。
【請求項４】
前記画面データ作成部は、現在時刻から前記対象診療行為の実施予定時刻までの時間に応じて前記スケジュール閲覧画面の表示態様を可変させることを特徴とする請求項１〜３のいずれか１項に記載の診療支援装置。
【請求項５】
前記画面データ作成部は、前記スケジュール閲覧画面の表示態様として、前記時間軸の表示態様を可変させることを特徴とする請求項４記載の診療支援装置。
【請求項６】
前記診療支援画面作成部は、現在時刻から前記対象診療行為の実施予定時刻までの時間が所定時間以下となった場合に前記表示態様を可変させるとともに、
前記所定時間は、前記対象診療行為の種類に応じて複数設定されていることを特徴とする請求項４または５記載の診療支援装置。
【請求項７】
現在時刻から前記対象診療行為の実施予定時刻までの時間が所定時間となった場合に、この旨を所定の通知先へ通知する通知部を備えたことを特徴とする請求項１〜６のいずれか１項に記載の診療支援装置。
【請求項８】
前記画面データ作成部は、
前記対象診療行為が前記実施予定時刻までに実施された場合において前記患者に生じる第１リスクと、前記対象診療行為が前記実施予定時刻までに実施できなかった場合において前記患者に生じる第２リスクと、を前記スケジュール閲覧画面に比較可能に表示することを特徴とする請求項１〜７のいずれか１項に記載の診療支援装置。
【請求項９】
クライアント端末と、前記クライアント端末から入力される要求に基づいて診療行為を支援する診療支援装置とから構成される診療支援システムにおいて、
前記診療支援装置は、
患者に実施される複数の診療行為を時間軸に沿って並べた診療スケジュール、及び、前記診療スケジュール内の診療行為のうち少なくとも１つの対象診療行為について現在時刻から前記対象診療行為の実施予定時刻までの時間を表示するスケジュール閲覧画面を作成する画面データ作成部と、
前記スケジュール閲覧画面を出力する出力制御部と、を備え、
前記画面データ作成部は、前記診療スケジュールとして、前記対象診療行為が前記実施予定時刻までに実施された場合に必要となる診療行為を含む第１診療スケジュールと、前記対象診療行為が前記実施予定時刻までに実施できなかった場合に必要となる診療行為を含む第２診療スケジュールと、を前記スケジュール閲覧画面に比較可能に並べて表示することを特徴とする診療支援システム。
【請求項１０】
診療行為を支援する診療支援装置としてコンピュータを機能させる診療支援プログラムにおいて、
患者に実施される複数の診療行為を時間軸に沿って並べた診療スケジュール、及び、前記診療スケジュール内の診療行為のうち少なくとも１つの対象診療行為について現在時刻から前記対象診療行為の実施予定時刻までの時間を表示するスケジュール閲覧画面を作成する画面データ作成ステップと、
前記スケジュール閲覧画面を出力する出力制御ステップと、を前記コンピュータに実行させ、
前記画面データ作成ステップは、前記診療スケジュールとして、前記対象診療行為が前記実施予定時刻までに実施された場合に必要となる診療行為を含む第１診療スケジュールと、前記対象診療行為が前記実施予定時刻までに実施できなかった場合に必要となる診療行為を含む第２診療スケジュールとを比較可能に並べて表示する前記スケジュール閲覧画面を作成することを特徴とする診療支援プログラム。
【請求項１１】
患者に実施される複数の診療行為を時間軸に沿って並べた診療スケジュール、及び、前記診療スケジュール内の診療行為のうち少なくとも１つの対象診療行為について現在時刻から前記対象診療行為の実施予定時刻までの時間を表示するスケジュール閲覧画面を作成する画面データ作成ステップと、
前記スケジュール閲覧画面を出力する出力制御ステップと、を診療支援装置に実行させ、
前記画面データ作成ステップは、前記診療スケジュールとして、前記対象診療行為が前記実施予定時刻までに実施された場合に必要となる診療行為を含む第１診療スケジュールと、前記対象診療行為が前記実施予定時刻までに実施できなかった場合に必要となる診療行為を含む第２診療スケジュールとを比較可能に並べて表示する前記スケジュール閲覧画面を作成することを特徴とする診療支援方法。
【発明の詳細な説明】
【技術分野】
【０００１】
本発明は、診療を支援する診療支援装置、システム、プログラム及び方法に関する。
【背景技術】
【０００２】
医療分野において、診療を支援するための各種の医療用コンピュータシステムが提案されている。医療用コンピュータシステムの１つとして、下記特許文献１には、患者の症状などを設定すると、その後の診療スケジュールをシステム側で自動的に作成して表示する診療支援システムが記載されている。診療スケジュールは、患者に実施される複数の診療行為、具体的には、患者に対する診断、検査、治療、手術、及びそれらの準備行為などの診療行為を時間軸に沿って並べた診療計画である。診療スケジュールにおいて、診療行為を実施する時期や順番が規定される。診療スケジュールを作成することによって、医師や看護師などの医療スタッフの間で診療スケジュールの内容を共有することができる。
【先行技術文献】
【特許文献】
【０００３】
【特許文献１】特開２０１４−０６３２１４号公報
【発明の概要】
【発明が解決しようとする課題】
【０００４】
上記特許文献１のような診療支援システムにより作成された診療スケジュールを構成する個々の診療行為のなかには、実施のタイミングが遅れてしまうと、効果を発揮しなかったり、患者へのリスクが高くなってしまったり、その後の計画に変更が必要となってしまうなどの問題が生じるものもあるので、診療スケジュール通りに診療行為を行うことが求められる。
【０００５】
しかしながら、上記特許文献１のように診療スケジュールを表示するだけでは診療スケジュールを予定通りに進めるための支援としては十分でなく、更なる改善が要望されていた。
【０００６】
本発明は、上記背景を鑑みてなされたものであり、診療スケジュールを予定通り進めるための支援が可能な診療支援装置、システム、プログラム及び方法を提供することを目的とする。
【課題を解決するための手段】
【０００７】
上記目的を達成するために、本発明の診療支援装置は、患者に実施される複数の診療行為を時間軸に沿って並べた診療スケジュール、及び、診療スケジュール内の診療行為のうち少なくとも１つの対象診療行為について現在時刻から対象診療行為の実施予定時刻までの時間を表示するスケジュール閲覧画面を作成する画面データ作成部と、スケジュール閲覧画面を出力する出力制御部と、を備え、上記画面データ作成部は、上記診療スケジュールとして、上記対象診療行為が実施予定時刻までに実施された場合に必要となる診療行為を含む第１診療スケジュールと、対象診療行為が実施予定時刻までに実施できなかった場合に必要となる診療行為を含む第２診療スケジュールと、をスケジュール閲覧画面に比較可能に並べて表示することを特徴としている。
なお、現在時刻から対象診療行為の実施予定時刻までの時間は、数値として表示しても
よいし、図表として表示してもよい。
画面データ作成部は、スケジュール閲覧画面に、第１診療スケジュールと第２診療スケジュールとの時間軸を、同方向に延びた線状に、かつ、時間に関して同縮尺に、表示することが好ましい。画面データ作成部は、第１診療スケジュールと第２診療スケジュールとを含むスケジュール表示領域と、第１診療スケジュールと第２診療スケジュールとの対象診療行為について現在時刻から対象診療行為の実施予定時刻までの時間をそれぞれ表示するタイムリミット表示領域とを有するスケジュール閲覧画面を作成することが好ましい。
【０００８】
画面データ作成部は、現在時刻から対象診療行為の実施予定時刻までの時間に応じてスケジュール閲覧画面の表示態様を可変させるものでもよい。
【０００９】
画面データ作成部は、スケジュール閲覧画面の表示態様として、時間軸の表示態様を可変させるものでもよい。
【００１０】
診療支援画面作成部は、現在時刻から対象診療行為の実施予定時刻までの時間が所定時間以下となった場合に表示態様を可変させるとともに、所定時間は、対象診療行為の種類に応じて複数設定されているものでもよい。なお、所定時間は、例えば、１時間、５時間などの予め設定された時間であり、任意の時間を設定できる。
【００１１】
現在時刻から対象診療行為の実施予定時刻までの時間が所定時間となった場合に、この旨を所定の通知先へ通知する通知部を設けてもよい。なお、所定時間は、例えば、１時間、５時間などの予め設定された時間であり、任意の時間を設定できる。また、所定の通知先は、例えば、医師や検査技師、看護士といった医療スタッフなどの予め設定された通知先であり、任意の通知先を設定できる。
【００１３】
画面データ作成部は、対象診療行為が実施予定時刻までに実施された場合において患者に生じる第１リスクと、対象診療行為が実施予定時刻までに実施できなかった場合において患者に生じる第２リスクと、をスケジュール閲覧画面に比較可能に表示するものでもよい。
【００１４】
また、上記目的を達成するために、本発明の診療支援システムは、クライアント端末と、クライアント端末から入力される要求に基づいて診療行為を支援する診療支援装置とから構成される診療支援システムにおいて、診療支援装置は、患者に実施される複数の診療行為を時間軸に沿って並べた診療スケジュール、及び、診療スケジュール内の診療行為のうち少なくとも１つの対象診療行為について現在時刻から対象診療行為の実施予定時刻までの時間を表示するスケジュール閲覧画面を作成する画面データ作成部と、スケジュール閲覧画面を出力する出力制御部と、を備え、画面データ作成部は、上記診療スケジュールとして、上記対象診療行為が実施予定時刻までに実施された場合に必要となる診療行為を含む第１診療スケジュールと、対象診療行為が実施予定時刻までに実施できなかった場合に必要となる診療行為を含む第２診療スケジュールと、をスケジュール閲覧画面に比較可能に並べて表示することを特徴としている。
【００１５】
また、上記目的を達成するために、本発明の診療支援プログラムは、診療行為を支援する診療支援装置としてコンピュータを機能させる診療支援プログラムにおいて、患者に実施される複数の診療行為を時間軸に沿って並べた診療スケジュール、及び、診療スケジュール内の診療行為のうち少なくとも１つの対象診療行為について現在時刻から対象診療行為の実施予定時刻までの時間を表示するスケジュール閲覧画面を作成する画面データ作成ステップと、スケジュール閲覧画面を出力する出力制御ステップと、をコンピュータに実行させ、画面データ作成ステップは、上記診療スケジュールとして、上記対象診療行為が実施予定時刻までに実施された場合に必要となる診療行為を含む第１診療スケジュールと、対象診療行為が実施予定時刻までに実施できなかった場合に必要となる診療行為を含む第２診療スケジュールとを比較可能に並べて表示するスケジュール閲覧画面を作成することを特徴としている。
【００１６】
また、上記目的を達成するために、本発明の診療支援方法は、患者に実施される複数の診療行為を時間軸に沿って並べた診療スケジュール、及び、診療スケジュール内の診療行為のうち少なくとも１つの対象診療行為について現在時刻から対象診療行為の実施予定時刻までの時間を表示するスケジュール閲覧画面を作成する画面データ作成ステップと、スケジュール閲覧画面を出力する出力制御ステップと、を診療支援装置に実行させ、画面データ作成ステップは、上記診療スケジュールとして、上記対象診療行為が実施予定時刻までに実施された場合に必要となる診療行為を含む第１診療スケジュールと、対象診療行為が実施予定時刻までに実施できなかった場合に必要となる診療行為を含む第２診療スケジュールとを比較可能に並べて表示するスケジュール閲覧画面を作成することを特徴としている。
【発明の効果】
【００１７】
本発明は、診療スケジュール内の診療行為のうち少なくとも１つの対象診療行為について現在時刻から対象診療行為の実施予定時刻までの時間（以下、残り時間と称する場合がある）を表示することにより、スケジュールを予定通りに進めるための支援が可能である。
【図面の簡単な説明】
【００１８】
【図１】診療支援システムの構成を示す説明図である。
【図２】カルテＤＢの内容を示す説明図である。
【図３】画像ＤＢの内容を示す説明図である。
【図４】スケジュールＤＢの内容を示す説明図である。
【図５】第１、第２スケジュールの内容を示す説明図である。
【図６】診療支援サーバ等に用いられるコンピュータの電気的な構成を示すブロック図である。
【図７】クライアント端末の機能概要を示す説明図である。
【図８】スケジュール作成画面を示す説明図である。
【図９】スケジュール閲覧画面を示す説明図である。
【図１０】診療支援サーバの機能概要を示す説明図である。
【図１１】スケジュール閲覧画面の表示手順を示すフローチャートである。
【図１２】残り時間に応じて時間軸の表示色を変更する例を示す説明図である。
【図１３】タイムバーにより残り時間を表示する例を示す説明図である。
【図１４】診療支援サーバのＣＰＵを通知部として機能させる例を示す説明図である。
【図１５】第１、第２スケジュールにリスク情報が対応付けされた例を示す説明図である。
【図１６】スケジュール閲覧画面を示す説明図である。
【発明を実施するための形態】
【００１９】
［第１実施形態］
図１に示す診療支援システム１０は、病院等の医療施設で実施される診療行為を支援するために用いられるコンピュータシステムである。この診療支援システム１０は、診療支援サーバ１１と、クライアント端末１２と、サーバ群１３と、これらを相互に通信可能に接続するネットワーク１４とで構成されている。ネットワーク１４は、例えば、医療施設内に敷設されたＬＡＮ（Local Area Network）である。
【００２０】
サーバ群１３には、電子カルテサーバ１５、画像サーバ１６、スケジュールサーバ１７などが含まれる。電子カルテサーバ１５は、電子カルテデータベース（以下、電子カルテＤＢ）１８を備えている。また、画像サーバ１６は、いわゆるＰＡＣＳ（Picture Archiving and Communication System）サーバであり、画像データベース（以下、画像ＤＢ）１９を備えている。さらに、スケジュールサーバ１７は、スケジュールデータベース（以下、スケジュールＤＢ）２０を備えている。これら、カルテＤＢ１８、画像ＤＢ１９、スケジュールＤＢ２０は、例えば、患者ＩＤ（Identification Data）などのキーワードによる検索が可能なデータベースである。
【００２１】
図２に示すように、カルテＤＢ１８には、複数の電子カルテが格納されている。電子カルテは患者毎に作成されてカルテＤＢ１８に格納される。各電子カルテには、患者情報と、診療情報とが含まれる。なお、患者情報には、患者ＩＤ、患者の氏名、年齢、性別などが含まれる。また、診療情報には、診療済みまたは診療中の傷病の傷病名や発症日時、診療担当者（医師・看護士・検査技師などの医療スタッフ）、問診・検査・診断などの診察記録、処置・手術などの治療記録、所見、検査結果が含まれる。さらに、検査結果には、検査結果に画像（検査画像）が含まれる場合、この検査画像の参照先（保管先）を示すアドレス情報も含まれる。
【００２２】
図３に示すように、画像ＤＢ１９には、Ｘ線検査やＣＴ検査などの画像検査で撮影された検査画像が格納されている。検査画像には、患者情報、撮影日、撮影機器、撮影部位、撮影条件などが付加されている。
【００２３】
図４に示すように、スケジュールＤＢ２０には、第１記憶領域２０ａ、第２記憶領域２０ｂが設けられている。これら第１、第２の各記憶領域２０ａ、２０ｂには、診療行為を時間軸ＴＬ（図５参照）に沿って並べた診療スケジュールが格納されている。第１記憶領域２０ａには、新たな診療スケジュールを作成する際のひな形として用いられる診療スケジュールが、傷病毎に区別されて格納されている。また、第１記憶領域２０ａに格納された各傷病の診療スケジュールは、それぞれ、効率を重視した第１スケジュールと、時間的なゆとりを重視した第２スケジュールとの２種類からなる。すなわち、第１記憶領域２０ａには、１つの傷病について２種類の診療スケジュールが格納されている。
【００２４】
図５（Ａ）に示すように、傷病Ａの第１スケジュールＡ１は、診療行為Ａ（例えば、投薬）、診療行為Ｂ（例えば、経過観察）、診療行為Ｃ（例えば、簡易検査）を行うことによって、傷病Ａの発生から２０時間で全ての診療が完了する診療スケジュールとなっている。ただし、この第１スケジュールＡ１で診療を行うためには、最初に実行される診療行為Ａを発症からＴ１（本例では５時間）以内に実施する必要がある。
【００２５】
他方、図５（Ｂ）に示すように、傷病Ａの第２スケジュールＡ２は、診療行為Ａ、診療行為Ｂを１セットとして、これを２セット行った後、診療行為Ｄ（例えば、精密検査）を行うことによって、傷病の発生から４０時間で完了する診療スケジュールとなっている。この第２スケジュールＡ２で診療を行うためには、最初に実行される診療行為Ａを発症からＴ２（本例では１０時間）以内に行えばよい。
【００２６】
このように、傷病Ａについては、発症からＴ１以内に診療行為Ａを実施すれば、第１スケジュールＡ１での診療が可能であるが、発症からＴ１以内に診療行為Ａを実施できなかった場合は第１スケジュールＡ１での診療ができなくなり第２スケジュールで診療を行うことになる。すなわち、発症からＴ１が経過した時点を診療行為Ａの実施予定時刻とすると、第１スケジュールＡ１は、傷病Ａの発症から予定実施時刻までに診療行為Ａを実施できた場合の診療スケジュールであり、第２スケジュールＡ２は、傷病Ａの発症から予定実施時刻までに診療行為Ａを実施できなかった場合の診療スケジュールである。
【００２７】
第１スケジュールＡ１と第２スケジュールＡ２とを比較すると、第１スケジュールＡ１では、最初の診療行為である診療行為Ａを迅速に行う必要がある反面、診療行為Ａを迅速に行ったことで、その後に必要となる診療行為の数が第２スケジュールＡ２と比較して少なく、また、最後の検査（診療行為Ｃ）についても第２スケジュールＡ２の最後の検査（診療行為Ｄ）と比較して簡単である。
【００２８】
他方、第２スケジュールＡ２では、最初の診療行為Ａを行うまでの時間が第１スケジュールＡ１よりも長く、ゆとりをもって最初の診療行為Ａを実施することが可能な反面、発症から最初の診療行為Ａが実施されるまでの時間が第１スケジュールと比較して長時間なため、その後に必要となる診療行為の数が第１スケジュールＡ１よりも多くなってしまうだけでなく、最後の検査（診療行為Ｄ）ついても第１スケジュールＡ１の最後の検査（診療行為Ｃ）と比較して手間や時間がかかる。
【００２９】
このように、第１スケジュールＡ１は、第２スケジュールＡ２と比較して、必要な診療行為の数が少なく、内容も簡単であり、さらには、トータルの診療時間も短いので、結果として、第２スケジュールＡ２よりも効率良く診療を行うことができる診療スケジュールとなっている。よって、この第１診療スケジュールＡ１に従って診療行為を行うことが望まれる。
【００３０】
以上、傷病Ａの第１スケジュールＡ１と第２スケジュールＡ２について説明をしたが、第１記憶領域２０ａに格納された他の傷病の診療スケジュールについても同様に、第１、第２の２種類の診療スケジュールが設けられている。そして、第１スケジュールは、対応する傷病に対する最初の診療行為を迅速に行うことで、結果として効率良く診療を行うことができる診療スケジュールとなっており、第２スケジュールは、最初の診療行為をゆとりを持って行うことができる反面、効率については第１スケジュールよりも劣る診療スケジュールとなっている。
【００３１】
図４に戻り、医療施設に患者が搬送される、または、入院中の患者に入院理由とは別の傷病が発生するなどして患者に新たな診療行為を行う必要が生じた場合は、患者情報の他、傷病名・発症日時からなる傷病情報、及び、担当の診療科・医療スタッフからなる担当情報などの必要事項が入力されて患者の診療スケジュールが作成される。この診療スケジュールは、第１記憶領域２０ａから患者の傷病名に対応する診療スケジュールを抽出し、抽出した診療スケジュールに必要事項として入力された情報を対応付けすることによって作成される。そして、このようにして作成された診療スケジュールが、第２記憶領域２０ｂに格納される。
【００３２】
このように、第２記憶領域２０ｂに格納される診療スケジュールは、傷病に対応した一般的な診療スケジュール（第１記憶領域２０ａにひな形として格納された診療スケジュール）に対して、傷病を発症した患者名や患者ＩＤや、発症日時、担当の医療スタッフなどが対応付けされることによって作成された患者毎の診療スケジュールである。前述のように、第１記憶領域２０ａに格納された診療スケジュールは、第１、第２の２種類のスケジュールが設けられているので、これに基づいて作成される患者毎の診療スケジュール、すなわち、第２記憶領域２０ｂに格納される診療スケジュールも、第１記憶領域２０ａに格納された診療スケジュールと同様に、第１、第２の２種類のスケジュールを含む形態で作成され、第２記憶領域２０ｂに格納される。
【００３３】
図１に戻り、クライアント端末１２は、デスクトップやノート型、タブレット型のパソコンやスマートフォンなどの端末である。なお、クライアント端末１２は、１人の医療スタッフが占有するものでもよいし、内科、外科、耳鼻科、眼科といった各診療科に設置されて各診療科の複数の医療スタッフに共用されるものでもよい。クライアント端末１２は、電子カルテサーバ１５にアクセスして、電子カルテの作成（入力）や閲覧（表示）をする機能を有している。また、クライアント端末１２は、画像サーバ１６にアクセスして、検査画像を閲覧する機能を有している。さらに、クライアント端末１２は、スケジュールサーバ１７にアクセスして、診療スケジュールの作成や閲覧をする機能を有している。
【００３４】
診療支援サーバ１１は、クライアント端末１２が有する上記の各種機能を実現するための診療支援画面を作成して、クライアント端末１２に対して配信（出力）する本発明の診療支援装置である。診療支援サーバ１１は、クライアント端末１２からのアクセスを受け付け、クライアント端末１２から入力される各種要求に基づいて、診療支援画面の作成やクライアント端末１２への配信を行う。
【００３５】
診療支援サーバ１１やクライアント端末１２、及び、サーバ群１３を構成する電子カルテサーバ１５、画像サーバ１６、スケジュールサーバ１７は、パーソナルコンピュータ、サーバコンピュータ、ワークステーションといったコンピュータをベースに、オペレーティングシステム等の制御プログラムや、クライアントプログラム又はサーバプログラム等のアプリケーションプログラムをインストールして構成される。
【００３６】
図６に示すように、各サーバ１１、１５〜１７、及び、クライアント端末１２を構成するコンピュータは、基本的な構成は同じであり、それぞれ、ＣＰＵ（Central Processing Unit）３１、メモリ３２、ストレージデバイス３３、通信Ｉ／Ｆ３４、及び入出力部３５を備えている。これらはデータバス３６を介して接続されている。入出力部３５は、ディスプレイ３７と、キーボードやマウスなどの入力デバイス３８とからなる。
【００３７】
ストレージデバイス３３は、例えば、ＨＤＤ（Hard Disk Drive）であり、制御プログラムやアプリケーションプログラム（以下、ＡＰという）４０が格納される。また、ＤＢが構築されるサーバ１１、１５〜１７には、プログラムを格納するＨＤＤとは別に、ＤＢ用のストレージデバイス３３として、例えば、ＨＤＤを複数台連装したディスクアレイが設けられる。なお、ディスクアレイは、サーバ本体に内蔵されるものでもよいし、サーバ本体とは別に設けられ、サーバ本体にＬＡＮ（Local Area Network）などのネットワークを通じて接続されるものでもよい。
【００３８】
メモリ３２は、ＣＰＵ３１が処理を実行するためのワークメモリであり、ＲＡＭ（Random Access Memory）で構成される。ＣＰＵ３１は、ストレージデバイス３３に格納された制御プログラムをメモリ３２へロードして、プログラムに従った処理を実行することにより、コンピュータの各部を統括的に制御する。通信Ｉ／Ｆ３４は、ネットワーク１４との間の伝送制御を行うネットワークインタフェースである。
【００３９】
クライアント端末１２には、ＡＰ４０として、クライアントプログラムがインストールされている。クライアントプログラムは、診療支援サーバ１１にアクセスして、診療支援画面の配信要求やスケジュール作成要求などの各種要求を送信する機能、診療支援サーバ１１からクライアント端末１２に送られた診療支援画面を受信して表示する機能を、クライアント端末１２に実行させるためのプログラムである。なお、クライアントプログラムは、診療支援システム１０専用にプログラミングされたものであってもよいし、周知のウェブブラウザであってもよい。
【００４０】
図７に示すように、クライアントプログラムが起動されると、クライアント端末１２のＣＰＵ３１は、メモリ３２などと協働して、ＧＵＩ制御部５０、及び診療支援サーバ１１に対する各種の要求を発行する要求発行部５１として機能し、クライアント端末１２のディスプレイ３７には、ＧＵＩ（Graphical User Interface）による操作機能を備えた起動画面（図示せず）が表示される。
【００４１】
ＧＵＩ制御部５０は、マウスのポインタによる操作ボタンのクリック操作など、起動画面を通じた入力デバイス３８からの操作指示を受け付けて、受け付けた操作指示に従った画面制御を行う。また、ＧＵＩ制御部５０は、入力デバイス３８からの操作指示に基づき、前述した各種要求の発行指示を要求発行部５１へ入力する。要求発行部５１は、ＧＵＩ制御部５０を介して入力された発行指示に対応する要求を発行する。発行された要求は、診療支援サーバ１１へ入力される。
【００４２】
起動画面には、クライアント端末１２が有する機能の一覧が表示され、一覧の中から利用する機能を選択できる。本実施形態では、クライアント端末１２が、電子カルテの作成・閲覧機能、検査画像の閲覧機能、診療スケジュールの作成・閲覧機能を有しており、起動画面では、これらのいずれを利用するかを選択できる。利用する機能が選択されると、選択された機能に対応する診療支援画面の配信要求が診療支援サーバ１１に送信される。
【００４３】
診療支援画面は、例えば、ＸＭＬ（Extensible Markup Language）などのマークアップ言語により記述されたデータで構成され、この診療支援画面もＧＵＩによる操作機能を備えている。本実施形態では、診療支援画面は、電子カルテの作成・閲覧機能を実行するための電子カルテ作成・閲覧画面、検査画像の閲覧機能を実行するための検査画像閲覧画面、診療スケジュールの作成・閲覧機能を実行するためのスケジュール作成画面５２（図８参照）及びスケジュール閲覧画面５５（図９参照）からなる。
【００４４】
図８に示すように、スケジュール作成画面５２は、起動画面において診療スケジュールの作成・閲覧機能を利用する旨の選択がなされた場合に、診療支援サーバ１１からクライアント端末１２に対して配信される診療支援画面である。スケジュール作成画面５２には、入力欄５３ａ〜５３ｊ、スケジュール作成ボタン５４が設けられている。入力欄５３ａ〜５３ｊは、前述した必要事項を入力するために設けられ、入力欄５３ａ〜５３ｄは、患者情報を入力するための入力欄であり、入力欄５３ｅ、５３ｆは、傷病情報を入力するための入力欄であり、入力欄５３ｇ〜５３ｊは、担当情報を入力するための入力欄である。
【００４５】
入力欄５３ａ〜５３ｊに必要事項が入力され、スケジュール作成ボタン５４が操作されると、診療スケジュールを作成するためのスケジュール作成要求が発行される。発行されたスケジュール作成要求は、入力欄５３ａ〜５３ｊに入力された情報とともに診療支援サーバ１１に対して送信される。診療支援サーバ１１は、この要求に従って、必要事項として入力された傷病に対応する診療スケジュールを第１記憶領域２０ａから読み出し、読み出した診療スケジュールと必要事項とを対応付けすることにより、必要事項として入力された診療対象の患者の診療スケジュールを作成する。診療支援サーバ１１は、このようにして作成された診療スケジュールを第２記憶領域２０ｂに格納するとともに、作成された診療スケジュールに基づいてスケジュール閲覧画面５５（図９参照）を作成する。
【００４６】
図９に示すように、スケジュール閲覧画面５５は、スケジュール作成画面５２において必要事項が入力されて患者の診療スケジュールが作成された後に、診療支援サーバ１１からクライアント端末１２に対して配信される診療支援画面である。スケジュール閲覧画面５５には、スケジュール表示領域５６と、タイムリミット表示領域５７とが設けられている。
【００４７】
スケジュール表示領域５６には、スケジュール作成画面５２において作成された患者の診療スケジュールが表示される。表示される診療スケジュールには、患者情報（患者名・患者ＩＤ・年齢・性別）や、傷病情報（傷病名・発症日時）、担当情報（担当の診療科・医療スタッフ）が含まれる。また、表示される診療スケジュールには、第１スケジュールと第２スケジュールとが含まれ、スケジュール表示領域５６には、これら第１、第２スケジュールが、比較可能に並べて表示される。さらに、スケジュール表示領域５６に表示される第１スケジュールと第２スケジュールには、発症から現在までどの程度の時間が経過しているかを示す指標５８が表示される。なお、図９は、発症から１時間が経過した時点の画面を示しており、これに対応する位置に指標５８が表示されている。
【００４８】
タイムリミット表示領域５７は、第１領域５７ａと第２領域５７ｂとからなり、第１領域５７ａには、第１スケジュールの最初の診療行為実施までの残り時間が表示され、第２領域５７ｂには、第２スケジュールの最初の診療行為実施までの残り時間が表示される。なお、図９は、傷病Ａの診療スケジュールを表示しており、この傷病Ａの第１スケジュールＡ１では、Ｔ１（発症から診療行為Ａ実施までのタイムリミット）が５時間となっている（図５（Ａ）参照）。また、傷病Ａの第２スケジュールＡ２では、Ｔ２が１０時間となっている（図５（Ｂ）参照）。そして、図９は、発症から１時間が経過した時点の画面を示している。このため、図９では、第１領域５７ａに表示される残り時間は４時間、第２領域５７ｂに表示される残り時間は９時間となっている。
【００４９】
診療支援サーバ１１は、図示しない内臓時計などにより現在時刻を検知しており、時刻の推移に伴って定期的（例えば、１秒毎）にスケジュール閲覧画面５５を更新する。これにより、タイムリミット表示領域５７に表示された残り時間や、スケジュール表示領域５６における指標５８の表示位置が時刻の変化に伴って更新される。なお、時刻の推移に伴うスケジュール閲覧画面５５の更新をクライアント端末１２で行ってもよい。
【００５０】
第１領域５７ａに表示された残り時間は、この残り時間内に第１スケジュールの最初の診療行為を実施することで、その後も第１スケジュールに従って診療を行うことができることを示している。一方、第２領域５７ｂに表示された残り時間は、この残り時間内に第２スケジュールの最初の診療行為を実施することで、その後も第２スケジュールに従って診療を行うことができることを示している。
【００５１】
図９では、傷病Ａの第１スケジュールＡ１（図５（Ａ）参照）及び第２スケジュールＡ２（図５（Ｂ）参照）を表示する例を示しており、傷病Ａでは、第１スケジュールＡ１の最初の診療行為と、第２スケジュールＡ２の最初の診療行為は、いずれも診療行為Ａである。このため、第１領域５７ａに表示された残り時間内に診療行為Ａを実施することで、その後も第１診療スケジュールに従って診療を行うことが可能であるが、第１領域５７ａに表示された残り時間が経過しても診療行為Ａが未実施の場合は、第２領域５７ｂに表示された残り時間内に診療行為Ａを実施し、その後は第２スケジュールに従って診療行為を行うこととなる。
【００５２】
このように、スケジュール閲覧画面５５に、診療スケジュールと、診療スケジュールのうちの対象診療行為（本例では最初の診療行為）を実施するまでの残り時間を表示することによって、診療スケジュール通りに診療を行うことを支援できる。また、スケジュール閲覧画面５５に、効率の良い第１スケジュールと、時間的なゆとりはあるが効率は第１スケジュールに劣る第２スケジュールとを比較可能に並べて表示することによって、効率良く診療を行うためにすべきことが判り易く、診療効率の向上を支援できる。
【００５３】
図１２に示すように、診療支援サーバ１１には、ＡＰ４０として、サーバプログラムがインストールされており、サーバプログラムが起動されると、診療支援サーバ１１のＣＰＵ３１は、メモリ３２などと協働して、要求受付部６０、スケジュール作成部６１、画面データ作成部６２、出力制御部６３として機能する。
【００５４】
要求受付部６０は、クライアント端末１２で行われた操作に基づくスケジュール作成要求を受け付け、受け付けたスケジュール作成要求をスケジュール作成部６１に入力する。
【００５５】
スケジュール作成部６１は、クライアント端末１２から入力されたスケジュール作成要求で指定された必要事項（患者情報、傷病情報、担当情報）に含まれる傷病名に対応する診療スケジュールを第１記憶領域２０ａから読み出し、読み出した診療スケジュールと必要事項とを対応付けすることによって、必要事項で指定された診療対象の患者の診療スケジュールを作成する。そして、作成された診療スケジュールを、第２記憶領域２０ｂに格納するとともに、画面データ作成部６２へ入力する。
【００５６】
画面データ作成部６２は、スケジュール作成部６１から診療スケジュールが入力されると、入力された診療スケジュールに含まれる傷病の発症日時、発症から最初の診療行為を実施するまでのタイムリミット（すなわち、Ｔ１、Ｔ２）、並びに、図示しない内臓時計により検出した現在時刻に基づいて、スケジュール表示領域５６に表示する指標５８（図９参照）の表示位置を決定するとともに、タイムリミット表示領域５７に表示する残り時間（すなわち、第１診療スケジュールにおいて最初の診療行為を実施するまでの残り時間と、第２診療スケジュールにおいて最初の診療行為を実施するまでの残り時間）を算出する。そして、入力された診療スケジュールと、決定された指標５８の表示位置、並びに、算出された残り時間に基づいてスケジュール閲覧画面５５（図９参照）を作成する。また、画面データ作成部６２は、現在時刻の推移に対応して、指標５８の表示位置、及び、タイムリミット表示領域５７の表示内容（残り時間）を変更することによって、スケジュール閲覧画面５５を更新する。
【００５７】
出力制御部６３には、画面データ作成部６２により作成及び更新されたスケジュール閲覧画面５５が入力される。出力制御部６３は、画面データ作成部６２から入力されたスケジュール閲覧画面５５をクライアント端末１２に配信する処理を行う。クライアント端末１２は、受信したスケジュール閲覧画面５５を自身のディスプレイ３７に表示する。
【００５８】
以下、図１１を用いて、上記構成による本発明の作用について説明を行う。新たな診療スケジュールを生成する場合、クライアント端末１２でクライアントプログラムを起動することによって表示される起動画面において、診療スケジュールの作成・閲覧機能を利用する旨の選択を行う。これにより、クライアント端末１２においてスケジュール作成画面５２の配信要求が発行され、診療支援サーバ１１に入力される。
【００５９】
診療支援サーバ１１は、配信要求を受け付けると、スケジュール作成画面５２をクライアント端末１２に対して配信する。クライアント端末１２において、スケジュール作成画面５２に従って必要事項（患者情報、傷病情報、担当情報）を入力し、スケジュール作成ボタン５４を操作すると、スケジュール作成要求が発行され、診療支援サーバ１１に入力される。
【００６０】
診療支援サーバ１１は、必要事項として入力された傷病に対応する診療スケジュールを第１記憶領域２０ａから読み出し、読み出した診療スケジュールと必要事項とを対応付けすることにより、診療対象の患者の診療スケジュールを作成する。また、診療支援サーバ１１は、作成した診療スケジュールを表示するスケジュール閲覧画面５５を作成し、クライアント端末１２に配信する。
【００６１】
診療支援サーバ１１から配信されたスケジュール閲覧画面５５は、クライアント端末１２のディスプレイ３７に表示される。スケジュール閲覧画面５５には、診療スケジュールとともに、診療スケジュールのうちの対象診療行為（本例では、最初の診療行為）実施までの残り時間が表示され、これらを確認しながら診療を進めることができる。また、スケジュール閲覧画面５５には、効率の良い第１スケジュールと、時間的なゆとりはあるが効率は第１スケジュールに劣る第２スケジュールとが比較可能に並べて表示され、かつ、第１、第２の各スケジュールで診療を進めるために必要な診療行為（本例では最初の診療行為）を実施するまでの残り時間が表示される。これにより、効率良く診療を行うためにすべきことが判り易い。
【００６２】
なお、上記実施形態では、診療スケジュールのうち最初に実施される診療行為を対象診療行為として、この対象診療行為の実施までの残り時間を表示する例で説明をしたが、本発明はこれに限定されるものではない。対象診療行為は、診療スケジュールのうち２番目以降に実施される診療行為であってもよい。また、診療スケジュールのうち複数の診療行為を対象診療行為としてもよい。もちろん、いずれの診療行為を対象診療行為とするかをユーザーに選択させてもよい。
【００６３】
また、上記実施形態では、スケジュール閲覧画面において、第１、第２の２種類の診療スケジュールを比較可能に表示する例で説明をしたが、第１または第２スケジュールの一方のみを表示してもよい。このような構成としても、表示されている一方の診療スケジュールのうちの対象診療行為までの残り時間を表示することによって、診療スケジュールを予定通りに進行させるための支援を行うことができる。
【００６４】
もちろん、３種類以上の診療スケジュールを比較可能に表示してもよい。この場合、ひな形となる診療スケジュールとして、１つの傷病について３種類以上の診療スケジュールを第１記憶領域２０ａに格納しておき、診療対象の患者の診療スケジュールを作成する場合、第１記憶領域に格納された診療スケジュールに基づいて３種類以上の診療スケジュールを作成する。そして、このように作成された３種類以上の診療スケジュールを含むスケジュール閲覧画面を、画面データ作成部６２が作成し、出力制御部６３を介してクライアント端末１２に配信すればよい。
【００６５】
また、上記実施形態では、ひな形となる診療スケジュール、すなわち、第１記憶領域２０ａに格納された診療スケジュールが、傷病毎に設けられている例で説明をしたが、本発明はこれに限定されるものではない。診療スケジュールは、傷病の種類に応じて変化させる必要があるだけでなく、患者の年齢や性別、既往歴などによって変化させる必要がある場合もある。つまり、同じ傷病であっても、若く健康な患者であれば１回の薬剤投与で終了する診療スケジュールが適しているが、体の弱い高齢者では複数回に分けて少量ずつ慎重に薬剤を投与する診療スケジュールが適しているといった場合が考えられる。このため、１つの傷病について、患者の年齢や性別、既往歴などに応じた複数のひな形を第１記憶領域２０ａに格納しておき、患者に応じたひな形を用いて診療対象の患者の診療スケジュールを作成する構成としてもよい。
【００６６】
また、上記実施形態では、第１スケジュールで診療行為を進めるためには、発症からＴ１以内に最初の診療行為を実行する必要がある例で説明をしたが、発症からＴ１以内に最初の診療行為を実施しても、次の診療行為を実施するタイミングが遅いと、その後の診療については第１スケジュールのままでは実施できない（または、実施すべきではない）といった場合も考えられる。このため、第１スケジュールの全て（または複数）の診療行為について、発症（または、直前の診療行為の実施）からのタイムリミットを設定し、タイムリミットが設定された診療行為が終了する毎に、次のタイムリミットまでの時間を表示する構成としてもよい。
【００６７】
もちろん、第２スケジュールについても同様に、第２スケジュールの全て（または複数）の診療行為について、発症（または、直前の診療行為の実施）からのタイムリミットを設定し、タイムリミットが設定された診療行為が終了する毎に、次のタイムリミットまでの時間を表示する構成としてもよい。
【００６８】
また、第１スケジュールの最初の診療行為をタイムリミット内に実施できなかった場合の第２スケジュールと、第１スケジュールの最初の診療行為についてはタイムリミット内に実施できたが、次の診療行為をタイムリミット内に実施できなかった場合の第２スケジュールとでは、異なる診療スケジュールとなる場合もある。このため、第１スケジュール通りに診療行為を実施できなくなったタイミングに応じた複数の第２スケジュールを第１記憶領域２０ａに格納しておき、第１スケジュールに従って診療行為が実施される毎に、それまで表示していた第２スケジュールを、次の診療行為がタイムリミット内に実施できなかった場合の第２スケジュールへと更新表示する構成としてもよい。
【００６９】
また、上記実施形態では、診療スケジュール（第１、第２スケジュール）全体を１つの画面内に納める例で説明をしたが、本発明はこれに限定されるものではない。スケジュール表示領域５６（図９参照）を、例えば、上下にスクロール可能に表示し、画面をスクロールさせることによって、診療スケジュール全体を把握できる構成としてもよい。
【００７０】
また、スケジュール表示領域５６の表示スケールを変更可能としてもよい。この場合、例えば、スケジュール表示領域５６に診療スケジュールを拡大するための拡大ボタンと、診療スケジュールを縮小するための縮小ボタンを設け、拡大ボタンの操作に基づいて診療スケジュールを拡大表示し、縮小ボタンの操作に基づいて診療スケジュールを縮小表示するように、画面データ作成部６２がスケジュール閲覧画面５５を更新すればよい。
【００７１】
また、残り時間に応じてスケジュール閲覧画面５５の表示態様を変化させてもよい。この場合、例えば、図１２に示すように、診療スケジュールの表示色を変化させるといったことが考えられる。図１２では、発症から第１時間（例えば、１時間）が経過するまでの間は時間軸ＴＬの表示色を緑色とし、第１時間が経過してから第２時間（例えば、２時間）が経過するまでの間は時間軸ＴＬの表示色を黄色とし、第２時間が経過してからタイムリミット（予定実施時刻であり、例えば、３時間）までは時間軸ＴＬの表示色を赤色としている。なお、図１２以降の図面を用いた説明では、前述した実施形態と同様の部材については同様の符号を付して説明を省略している。
【００７２】
もちろん、時間軸ＴＬの全部の表示色を切り替えることに限定されず、時間軸ＴＬの一部（例えば、発症から対象診療行為の実施のタイムリミットまで）の表示色を残り時間に応じて切り替えてもよい。また、時間軸ＴＬの表示色を切り替えることに限定されず、例えば、残し時間に応じて時間軸ＴＬを点灯表示から点滅表示へと切り替えたり、残り時間が短くなるほど時間軸ＴＬの点滅間隔を短くするといったことも考えられる。さらに、残り時間に応じて、時間軸ＴＬとは別の部位（例えば、時間軸ＴＬの背景や、タイムリミット表示領域）の表示態様（表示色や点滅間隔、表示レイアウトなど）を切り替えてもよい。また、例えば、診療行為Ａは、残り時間が１時間を切ると赤色表示となるが、診療行為Ｂは、残り時間が１時間を切っても赤色表示とはならずに、残り時間が３０分を切ると赤色表示となるといったように、対象診療行為の種類に応じて表示態様が切り替わるタイミングを異ならせてもよい。
【００７３】
また、上記実施形態では、残り時間を、例えば、「４時間００分」など、数値として表示する例（図９参照）で説明をしたが、残り時間を図表として表示してもよい。この場合、例えば、図１３に示すように、スケジュール閲覧画面５５の第１表示領域５７ａや第２表示領域５７ｂに、残り時間を示すタイムバー５７ｃを表示するといったことが考えられる。タイムバー５７ｃは、発症時から徐々に短くなり（バーの右端が徐々に左端側へ移動し）、残り時間が「０」となるとバーの右端が左端と重なって消失する。このように、残り時間を図表として表示することによって、残り時間を直感的に把握し易い。もちろん、第１表示領域５７ａや第２表示領域５７ｂにタイムバー５７ｃのみを表示してもよい。
【００７４】
［第２実施形態］
続いて、図１４を用いて、本発明の第２実施形態について説明を行う。第１実施形態は、スケジュール閲覧画面５５（図９参照）に、対象診療行為を実施するまでの残り時間を表示することによって、対象診療行為を診療スケジュール通りに実施することの支援を行うものである。これに対し、第２実施形態は、所定の通知先に対して残り時間を通知することによって、対象診療行為を診療スケジュール通りに実施することの支援を行うものである。
【００７５】
図１４に示すように、第２実施形態では、診療支援サーバ１１のＣＰＵ３１を、第１実施形態で説明した要求受付部６０、スケジュール作成部６１、画面データ生成部６２、出力制御部６３として機能させることに加え、通知部６４としても機能させる。通知部６４は、第２記憶領域２０ｂに格納された診療スケジュール、すなわち、診療対象の患者の診療スケジュールを参照し、対象診療行為実施までの残り時間が所定時間（例えば、１時間）を下回る診療スケジュールの有無を検出する。
【００７６】
そして、通知部６４は、残り時間が所定時間を下回る診療スケジュールが検出された場合、所定の通知先に対して、対象診療行為実施までの残り時間、または、対象診療行為実施までの残り時間が所定時間を下回った旨を通知する。なお、所定の通知先は、例えば、クライアント端末１２のうち、残り時間が所定時間を下回った診療スケジュールの関係者が使用する端末である。診療スケジュールの関係者とは、例えば、診療を担当する医療スタッフであり、この医療スタッフの情報は、診療スケジュールを作成する際に必要事項として入力され、診療スケジュールに対応付けされているので、診療スケジュールを参照することで割り出すことができる。第２実施形態では、上述のように残り時間を通知することによって、診療スケジュール通りに対象診療行為を実施させることの支援をより充実させることができる。
【００７７】
なお、残り時間や対象診療行為の種類に応じて、通知先や通知の態様を切り替えてもよい。この場合、例えば、残り時間が２時間を切った時点では、医師には通知を行わずに、看護士や検査技師にのみ通知を行い、残り時間が１時間を切ると、医師にも通知するといったことが考えられる。また、残り時間が２時間を切るまでは、１時間毎に通知を行い、残り時間が１時間を切った後は１０分毎に通知を行うといったことも考えられる。さらに、対象診療行為が投薬である場合は、看護士にのみ通知を行い、対象診療行為が検査である場合は、検査技師にのみ通知を行うといったことも考えられる。
【００７８】
［第３実施形態］
続いて、図１５、図１６を用いて、本発明の第３実施形態について説明を行う。第１実施形態は、スケジュール閲覧画面５５（図９参照）に、第１スケジュールで診療を行う際の対象診療行為実施までの残り時間と、第２スケジュールで診療を行う際の対象診療行為実施までの残り時間とを比較可能に表示している。これに対し、第３実施形態では、第１実施形態と同様に対象診療行為実施までの残り時間を比較可能に表示することに加えて、第１スケジュールで診療を行った場合の患者のリスクと、第２スケジュールで診療を行った場合の患者のリスクとを比較可能に表示する構成である。
【００７９】
図１５に示すように、第３実施形態では、スケジュールＤＢ２０の第１記憶領域２０ａに格納された第１スケジュールに、この第１スケジュールで診療を行った場合に患者に生じるリスクを示す第１リスク情報が対応付けされている。また、第２スケジュールには、この第２スケジュールで診療を行った場合に患者に生じるリスクを示す第２リスク情報が対応付けされている。第１、第２の各リスク情報は、例えば、診療後の生存率や診療の成功率、診療による副作用などの情報である。
【００８０】
図１６に示すように、第３実施形態では、上述の第１、第２リスク情報を含む第１第２スケジュールを用いて診療対象の患者の診療スケジュールが生成され、スケジュール閲覧画面５５のスケジュール表示領域５６に比較可能に表示される。図１６において、第１スケジュールと第２スケジュールは、診療行為の内容（数や種類及びその組合せ）は同じであるが、第２スケジュールの方が、第１スケジュールよりも２０時間遅く、対象診療行為である最初の診療行為Ａを開始する内容となっている。
【００８１】
また、図１６のスケジュール閲覧画面５５には、リスク情報表示領域７０が設けられている。リスク情報表示領域７０には、第１スケジュールに含まれる第１リスク情報が表示される第１リスク表示領域７０ａと、第２スケジュールに含まれる第２リスク情報が表示される第２リスク表示領域７０ｂとが設けられている。そして、図１６の例では、第１リスク表示領域７０ａに、第１スケジュールで診療を行った場合の生存率が８０％であることが表示され、第２リスク表示領域７０ｂに、第２スケジュールで診療を行った場合の生存率が２０％であることが表示されている。
【００８２】
図１６の第１スケジュールと第２スケジュールとを比較すると、実際に実施する診療行為の内容は共通なので、診療の効率といった点では両者には差がない。一方、患者のリスクを考慮すると、最初の診療行為Ａの実施タイミングが遅いことにより、第２診療スケジュールの方がリスクが高く（生存率が低く）なっている。このように、医療分野では、実際に実施する診療行為の内容が同じ場合であっても、実施するタイミングが異なることによって患者のリスクが変化する場合が想定される。第３実施形態では、第１、第２の２種類のスケジュールで診療を行った場合のそれぞれの患者のリスクを表示することにより、より低リスクの診療スケジュールで診療が行われるように支援することができる。
【００８３】
なお、前述した各実施形態では、診療支援サーバからネットワークを通じてクライアント端末に対してスケジュール閲覧画面を配信するクライアントサーバ型システムを例に説明している。この例では、診療支援サーバが診療支援装置に相当する。こうしたクライアントサーバ型システムに限らず、クライアント端末そのものを診療支援装置として構成してもよい。この場合には、クライアント端末のＣＰＵを、要求受付部、画面データ作成部、出力制御部として機能させる。そして、要求受付部は、クライアント端末の入力デバイスからの操作指示を受け付け、出力制御部は、画面データ作成部が作成したスケジュール閲覧画面をクライアント端末のディスプレイに出力する制御を行う。つまり、クライアントサーバ型システムでは、出力制御部が、診療支援サーバからクライアント端末に向けての配信出力を制御していたが、クライアント端末そのものを診療支援装置として構成する場合においては、出力制御部が、クライアント端末のディスプレイへの表示出力を制御する。
【００８４】
なお、本発明は、上記実施形態や上述した変形例に限らず、本発明の要旨を逸脱しない限り種々の構成を採り得る。例えば、上記実施形態や上述した変形例を適宜組合せることも可能である。また、本発明は、プログラムに加えて、プログラムを記憶する記憶媒体にも及ぶ。
【符号の説明】
【００８５】
１０  診療支援システム
１１  診療支援サーバ
１２  クライアント端末
１４  ネットワーク
１７  スケジュールサーバ
２０  スケジュールＤＢ
３１  ＣＰＵ
３２  メモリ
３３  ストレージデバイス
３７  ディスプレイ
３８  入力デバイス
４０  ＡＰ
５０  ＧＵＩ制御部
５１  要求発行部
５２  スケジュール作成画面
５５  スケジュール閲覧画面
５６  スケジュール表示領域
５７  タイムリミット表示領域
６０  要求受付部
６１  スケジュール作成部
６２  画面データ作成部
６３  出力制御部
６４  通知部
７０  リスク表示領域
ＴＬ  タイムライン
【図１】
0006401052.tif 000002
【図２】
0006401052.tif 000003
【図３】
0006401052.tif 000004
【図４】
0006401052.tif 000005
【図５】
0006401052.tif 000006
【図６】
0006401052.tif 000007
【図７】
0006401052.tif 000008
【図８】
0006401052.tif 000009
【図９】
0006401052.tif 000010
【図１０】
0006401052.tif 000011
【図１１】
0006401052.tif 000012
【図１２】
0006401052.tif 000013
【図１３】
0006401052.tif 000014
【図１４】
0006401052.tif 000015
【図１５】
0006401052.tif 000016
【図１６】
0006401052.tif 000017